(57)【要約】【課題】ネットワーク間のバタつきを抑制すること。【解決手段】遷移制御装置４は、一つ以上の基地局２が構成する複数のＲＡＴにおいて、在圏するＲＡＴを遷移する移動機３の遷移を制御する装置であって、ＲＡＴごとの移動機３の遷移回数を格納する遷移情報格納部１０と、遷移情報格納部１０によって格納された遷移回数に基づいて、同一ＲＡＴに所定の期間に所定の回数以上遷移した移動機３を検出する移動機検出部１１と、移動機検出部１１によって検出された移動機３について、遷移を予定している遷移先ＲＡＴに遷移する前に、遷移先ＲＡＴから現在在圏している在圏ＲＡＴへの遷移条件を満たしているか否かを判定するバタつき判定部１２と、バタつき判定部１２によって遷移条件を満たしていると判定された場合、移動機３の遷移を制御するバタつき制御部１３と、を備える。【選択図】図４
2015061186.tif 000002
【特許請求の範囲】
【請求項１】
一つ以上の基地局が構成する複数のネットワークにおいて、在圏するネットワークを遷移する移動機の遷移を制御する遷移制御装置であって、
ネットワークごとの移動機の遷移回数を格納する格納手段と、
前記格納手段によって格納された遷移回数に基づいて、同一ネットワークに所定の期間に所定の回数以上遷移した移動機を検出する検出手段と、
前記検出手段によって検出された移動機について、遷移を予定している遷移先ネットワークに遷移する前に、遷移先ネットワークから現在在圏している在圏ネットワークへの遷移条件を満たしているか否かを判定する判定手段と、
前記判定手段によって遷移条件を満たしていると判定された場合、移動機の遷移を制御する制御手段と、
を備える遷移制御装置。
【請求項２】
前記制御手段は、前記判定手段によって移動機が遷移条件を満たしていると判定された場合、当該移動機のみの遷移を制御する、請求項１に記載の遷移制御装置。
【請求項３】
前記制御手段は、基地局から送信される報知情報に含まれる移動機の遷移条件を変更することで遷移を制御する、請求項１又は２に記載の遷移制御装置。
【請求項４】
前記制御手段は、前記複数のネットワークのリソースに基づいて移動機の遷移を制御する、請求項１〜３の何れか一項に記載の遷移制御装置。
【請求項５】
前記制御手段は、前記複数のネットワークの各ネットワークにおける移動機の在圏数に基づいて移動機の遷移を制御する、請求項１〜４の何れか一項に記載の遷移制御装置。
【請求項６】
前記判定手段は、当該移動機が遷移先ネットワークから受信した報知情報と当該移動機の在圏ネットワークでの品質情報とに基づいて、遷移条件を満たしているか否かを判定する、請求項１〜５の何れか一項に記載の遷移制御装置。
【請求項７】
一つ以上の基地局が構成する複数のネットワークにおいて、在圏するネットワークを遷移する移動機の遷移を制御する遷移制御装置であって、ネットワークごとの移動機の遷移回数を格納する格納手段を備える遷移制御装置により実行される遷移制御方法であって、
前記格納手段によって格納された遷移回数に基づいて、同一ネットワークに所定の期間に所定の回数以上遷移した移動機を検出する検出ステップと、
前記検出ステップにおいて検出された移動機について、遷移を予定している遷移先ネットワークに遷移する前に、遷移先ネットワークから現在在圏している在圏ネットワークへの遷移条件を満たしているか否かを判定する判定ステップと、
前記判定ステップにおいて遷移条件を満たしていると判定された場合、移動機の遷移を制御する制御ステップと、
を含む遷移制御方法。
【発明の詳細な説明】
【技術分野】
【０００１】
本発明は、遷移制御装置及び遷移制御方法に関する。
【背景技術】
【０００２】
移動通信システムにおいては、移動機が接続する無線アクセス技術（ＲＡＴ：Radio  Access  Technology）を切り替えるハンドオーバー（遷移）が行われる。下記特許文献１では、ハンドオーバーを行う際に移動通信端末装置が基地局から到来する信号の受信品質を検出し、その結果をもとに切り替えを行うかどうかを判断することが開示されている。
【先行技術文献】
【特許文献】
【０００３】
【特許文献１】特開２０００−２２４６４６号公報
【発明の概要】
【発明が解決しようとする課題】
【０００４】
一般的に、移動機は、在圏するＲＡＴ（在圏ＲＡＴ）の報知情報に含まれる遷移閾値に対し、在圏していないＲＡＴ（異ＲＡＴ）の測定された無線品質（受信品質）が超えている場合に、在圏ＲＡＴから異ＲＡＴへ遷移する。その場合、同じ無線品質でも在圏ＲＡＴと異ＲＡＴとの測定値が測定アルゴリズムに起因して異なることがある。それにより、例えば、移動機が在圏ＲＡＴであるＲＡＴ−Ａ’に在圏時に、異ＲＡＴであるＲＡＴ−Ｂ’の無線品質がＲＡＴ−Ａ’からＲＡＴ−Ｂ’への遷移閾値を満たすことでＲＡＴ−Ｂ’へ遷移するが、測定精度等の理由により実際の品質は遷移閾値を満たしておらず（あるいは、遷移直後にＲＡＴ−Ａ’の無線品質がＲＡＴ−Ｂ’からＲＡＴ−Ａ’への遷移閾値を満たしており）、初めに在圏していたＲＡＴ−Ａ’に再び戻るというＲＡＴ間のバタつきが発生する。
【０００５】
以下では、図１及び図２を用いてＲＡＴ間のバタつきについて具体的に説明する。図１は、従来技術における移動通信システム１’の構成図の一例である。移動通信システム１’は、基地局２’と、移動機３’とを含んで構成される。基地局２’は、２つのＲＡＴであるＲＡＴ＿Ａ’とＲＡＴ＿Ｂ’とを構成する。ＲＡＴ＿Ａ’は例えば３Ｇ（3rd  Generation）であり、ＲＡＴ＿Ｂ’は例えばＬＴＥ（Long  Term  Evolution）である。なお、以降の説明ではＲＡＴを、セル、セクタ又はネットワーク、基地局が構成するネットワーク等に適宜読み替えてよい。
【０００６】
移動機３’は、ＲＡＴ＿Ａ’あるいはＲＡＴ＿Ｂ’の何れかに在圏することで、在圏するＲＡＴ及び基地局２’を介して移動通信を行う。移動機３’による在圏するＲＡＴの切り替えを、遷移、あるいはハンドオーバーという。例えば、現在ＲＡＴ＿Ａ’に在圏する移動機３’が、在圏するＲＡＴをＲＡＴ＿Ｂ’に切り替えることを、ＲＡＴ＿Ａ’からＲＡＴ＿Ｂ’に遷移するという。遷移は、基地局２’が移動機３’に対して遷移指示を送信することに基づいて行われる。ここで、移動通信システム１’において、ＲＡＴ＿Ａ’よりもＲＡＴ＿Ｂ’の方が優先度が高いとする。すなわち、基地局２’は、移動機３’をできる限りＲＡＴ＿Ａ’よりもＲＡＴ＿Ｂ’に在圏させようとする。
【０００７】
図１を用いて、まず、ＲＡＴ＿Ａ’からＲＡＴ＿Ｂ’への遷移条件について説明する。ＲＡＴ＿Ａ’に在圏する移動機３’は、基地局２’からのＲＡＴ＿Ａ’における報知情報を受信する。報知情報に含まれる情報の具体例としては、下記参考文献の６．３．５  Report  config  EUTRAに記載されているＥｖｅｎｔ  Ａ１〜Ａ５及びＢ１〜Ｂ２の閾値や、TimeToTriggerが挙げられる。移動機３’は、受信した報知情報に含まれる、ＲＡＴ＿Ｂ’の無線品質の遷移閾値であるＴｈｒｅｓｈＲＡＴ＿Ｂ’を取得する。また、移動機３’は、ＲＡＴ＿Ｂ’の無線品質（品質情報）であるＳＲＡＴ＿Ｂ’を測定する。品質情報の具体例としては、下記参考文献の６．３．５  Means  Resultsに記載されているＲＳＲＰ／ＲＳＲＱが挙げられる。そして、ＳＲＡＴ＿Ｂ’がＴｈｒｅｓｈＲＡＴ＿Ｂ’を満たしている（超えている）場合、ＲＡＴ＿Ａ’からＲＡＴ＿Ｂ’への遷移条件を満たしたことになり、移動機３’はＲＡＴ＿Ａ’からＲＡＴ＿Ｂ’へ遷移する。
（参考文献）3GPP  TS  36.331  V11.4.0  (2013-06)
【０００８】
次に、ＲＡＴ＿Ｂ’からＲＡＴ＿Ａ’への遷移条件について説明する。ＲＡＴ＿Ｂ’に在圏する移動機３’は、基地局２’からのＲＡＴ＿Ｂ’における報知情報を受信する。移動機３’は、受信した報知情報に含まれる、ＲＡＴ＿Ａ’の無線品質の遷移閾値であるＴｈｒｅｓｈＲＡＴ＿Ａ’を取得する。また、移動機３’は、ＲＡＴ＿Ａ’の無線品質であるＳＲＡＴ＿Ａ’を測定する。そして、ＳＲＡＴ＿Ｂ’がＴｈｒｅｓｈＲＡＴ＿Ｂ’を満たさず（下回り）、ＳＲＡＴ＿Ａ’がＴｈｒｅｓｈＲＡＴ＿Ａ’を満たしている場合、ＲＡＴ＿Ｂ’からＲＡＴ＿Ａ’への遷移条件を満たしたことになり、移動機３’はＲＡＴ＿Ｂ’からＲＡＴ＿Ａ’へ遷移する。
【０００９】
続いて、図２を用いて従来技術におけるバタつきの発生について説明する。図２は、各ＲＡＴの無線品質の時系列上の変化を示す図である。図２において、グラフＬＡ’はＲＡＴ＿Ａ’の測定された無線品質の変化を示し、グラフＬＢ’はＲＡＴ＿Ｂ’の測定された無線品質の変化を示す。まず、時刻Ｔ０では、移動機３’はＲＡＴ＿Ａ’に在圏しているとする。時刻Ｔ１で、グラフＬＢ’がＴｈｒｅｓｈＲＡＴ＿Ｂ’を超えたため、ＲＡＴ＿Ａ’からＲＡＴ＿Ｂ’への遷移条件が満たされ、時刻Ｔ２で、移動機３’はＲＡＴ＿Ａ’からＲＡＴ＿Ｂ’に遷移する。
【００１０】
ここで、グラフＬｒＢ’は、ＲＡＴ＿Ｂ’の実際の無線品質の変化を示す。このように、測定アルゴリズム等に起因して、測定された無線品質の変化を示すグラフＬＢ’と、実際の無線品質の変化を示すＬｒＢ’とが異なる場合がある。時刻Ｔ２では、ＬｒＢ’がＴｈｒｅｓｈＲＡＴ＿Ｂ’を下回っており、ＬＡ’がＴｈｒｅｓｈＲＡＴ＿Ａ’を超えているため、ＲＡＴ＿Ｂ’からＲＡＴ＿Ａ’への遷移条件を満たしており、時刻Ｔ４で、移動機３’はＲＡＴ＿Ｂ’からＲＡＴ＿Ａ’に遷移する。あるいは、時刻Ｔ３で、ＬＢ’がＴｈｒｅｓｈＲＡＴ＿Ｂ’を下回り、ＬＡ’がＴｈｒｅｓｈＲＡＴ＿Ａ’を超えているため、ＲＡＴ＿Ｂ’からＲＡＴ＿Ａ’への遷移条件を満たしており、時刻Ｔ４で、移動機３’はＲＡＴ＿Ｂ’からＲＡＴ＿Ａ’に遷移する。
【００１１】
以上のように、無線品質が遷移閾値付近である場合、ＲＡＴ＿Ａ’からＲＡＴ＿Ｂ’への遷移と、ＲＡＴ＿Ｂ’からＲＡＴ＿Ａ’への遷移とが繰り返される。すなわち、ＲＡＴ＿Ａ’とＲＡＴ＿Ｂ’との間でバタつきが発生する。以上、ＲＡＴ間のバタつきについて説明した。
【００１２】
ＲＡＴ間のバタつきが発生することで、移動機の画面上のＲＡＴ表示がバタつき、ユーザ見えが悪いという問題が生じる。具体例を挙げると、上記例においてＲＡＴ−Ａ’が３Ｇであり、ＲＡＴ−Ｂ’がＬＴＥである場合、バタつきが発生することで、移動機の画面上のＲＡＴ表示が３ＧとＬＴＥとの間で交互に入れ替わることになる。
【００１３】
また、ＲＡＴ間のバタつきが発生することで、移動機が異ＲＡＴの品質測定を頻繁に実施することになり、移動機の消費電力が増大し、基地局リソースの効率が低下するという問題も生じる。
【００１４】
また、ＲＡＴ間のバタつきが発生することで、ネットワークリソースが浪費され、ユーザ体感（スループット）が悪化するという問題も生じる。
【００１５】
そこで、本発明は、かかる課題に鑑みて為されたものであり、ネットワーク間のバタつきを抑制することができる遷移制御装置及び遷移制御方法を提供することを目的とする。
【課題を解決するための手段】
【００１６】
上記課題を解決するため、本発明の遷移制御装置は、一つ以上の基地局が構成する複数のネットワークにおいて、在圏するネットワークを遷移する移動機の遷移を制御する遷移制御装置であって、ネットワークごとの移動機の遷移回数を格納する格納手段と、格納手段によって格納された遷移回数に基づいて、同一ネットワークに所定の期間に所定の回数以上遷移した移動機を検出する検出手段と、検出手段によって検出された移動機について、遷移を予定している遷移先ネットワークに遷移する前に、遷移先ネットワークから現在在圏している在圏ネットワークへの遷移条件を満たしているか否かを判定する判定手段と、判定手段によって遷移条件を満たしていると判定された場合、移動機の遷移を制御する制御手段と、を備える。
【００１７】
このような遷移制御装置によれば、同一ネットワークに所定の期間に所定の回数以上遷移した移動機について、遷移先ネットワークに遷移する前に、遷移先ネットワークから在圏ネットワークへの遷移条件を満たしている場合、移動機の遷移を制御することができる。遷移を制御しなければ、移動機が当該遷移条件を満たしている場合、当該移動機は遷移先ネットワークに遷移した後に再度在圏ネットワークに遷移するため、バタつきが発生する。遷移を制御することで、例えば遷移先ネットワークへ遷移させなくすることができ、それによりバタつきを抑制することができる。
【００１８】
また、本発明の遷移制御装置において、制御手段は、判定手段によって移動機が遷移条件を満たしていると判定された場合、当該移動機のみの遷移を制御してもよい。かかる構成を採れば、他の移動機に影響を与えることなく、最小限の制御でバタつきを抑制することができる。
【００１９】
また、本発明の遷移制御装置において、制御手段は、基地局から送信される報知情報に含まれる移動機の遷移条件を変更することで遷移を制御してもよい。かかる構成を採れば、基地局から送信される報知情報という既存の仕組みを利用して簡易にバタつきを抑制することができる。
【００２０】
また、本発明の遷移制御装置において、制御手段は、複数のネットワークのリソースに基づいて移動機の遷移を制御してもよい。かかる構成を採れば、例えば、リソースに余裕があるネットワークに移動機を遷移させることで、バタつきを抑制すると共に、ネットワーク全体の効率性を高めることができる。
【００２１】
また、本発明の遷移制御装置において、制御手段は、複数のネットワークの各ネットワークにおける移動機の在圏数に基づいて移動機の遷移を制御してもよい。かかる構成を採れば、例えば、移動機の在圏数が少ないネットワーク、すなわちリソースに余裕があるネットワークに移動機を遷移させることで、バタつきを抑制すると共に、ネットワーク全体の効率性を高めることができる。
【００２２】
また、本発明の遷移制御装置において、判定手段は、当該移動機が遷移先ネットワークから受信した報知情報と当該移動機の在圏ネットワークでの品質情報とに基づいて、遷移条件を満たしているか否かを判定してもよい。かかる構成を採れば、既存の仕組みを利用して簡易に遷移条件を満たしているか否かを判定することができる。
【００２３】
ところで、本発明は、上記のように装置の発明として記述できる他に、以下のように方法の発明としても記述することができる。これはカテゴリが異なるだけで、実質的に同一の発明であり、同様の作用及び効果を奏する。
【００２４】
即ち、本発明に係る遷移制御方法は、一つ以上の基地局が構成する複数のネットワークにおいて、在圏するネットワークを遷移する移動機の遷移を制御する遷移制御装置であって、ネットワークごとの移動機の遷移回数を格納する格納手段を備える遷移制御装置により実行される遷移制御方法であって、格納手段によって格納された遷移回数に基づいて、同一ネットワークに所定の期間に所定の回数以上遷移した移動機を検出する検出ステップと、検出ステップにおいて検出された移動機について、遷移を予定している遷移先ネットワークに遷移する前に、遷移先ネットワークから現在在圏している在圏ネットワークへの遷移条件を満たしているか否かを判定する判定ステップと、判定ステップにおいて遷移条件を満たしていると判定された場合、移動機の遷移を制御する制御ステップと、を含む。
【発明の効果】
【００２５】
本発明によれば、ネットワーク間のバタつきを抑制することができる。
【図面の簡単な説明】
【００２６】
【図１】従来技術における移動通信システムの構成図である。
【図２】従来技術におけるバタつきの発生を示す図である。
【図３】本発明の実施形態に係る移動通信システムの構成図である。
【図４】本発明の実施形態に係る遷移制御装置の機能ブロック図である。
【図５】本発明の実施形態に係る遷移制御装置のハードウェア構成を示す図である。
【図６】遷移回数テーブルのテーブル例を示す図である。
【図７】本発明の実施形態に係る遷移制御装置で実行される遷移制御処理（遷移制御方法）を示すフローチャートである。
【図８】本発明の実施形態に係る遷移制御装置で実行される遷移制御処理（遷移制御方法）を示すシーケンスチャート（その１）である。
【図９】本発明の実施形態に係る遷移制御装置で実行される遷移制御処理（遷移制御方法）を示すシーケンスチャート（その２）である。
【発明を実施するための形態】
【００２７】
以下、図面とともに本発明による遷移制御装置及び遷移制御方法の好適な実施形態について詳細に説明する。なお、図面の説明においては同一要素には同一符号を付し、重複する説明を省略する。
【００２８】
［移動通信システム１の構成］
図３は、本実施形態に係る移動通信システム１の構成図である。移動通信システム１は、基地局２と、移動機３と、遷移制御装置４とを含んで構成される。基地局２は、２つのＲＡＴであるＲＡＴ＿ＡとＲＡＴ＿Ｂとを構成する。ここで、基地局２、移動機３、ＲＡＴ＿Ａ及びＲＡＴ＿Ｂは、それぞれ上述の基地局２’、移動機３’、ＲＡＴ＿Ａ’及びＲＡＴ＿Ｂ’と同様のため、説明を省略する。なお、図３に示す移動通信システム１は一つの基地局２が二つのＲＡＴを構成しているが、これに限るものではない。例えば、移動通信システム１は、一つ以上の基地局を含んで構成され、各基地局は一つ以上のＲＡＴを構成してもよい。
【００２９】
遷移制御装置４は、基地局２が構成するＲＡＴ＿Ａ及びＲＡＢ＿Ｂにおいて、在圏するＲＡＴを遷移する移動機３の遷移を制御するコンピュータ装置である。遷移制御装置４と基地局２とはネットワークで接続されており、遷移制御装置４は、基地局２へ指示情報を送信することで基地局２に指示を出したり、基地局２から情報を受信したりする。なお、遷移制御装置４は基地局２に組み込まれていてもよい。なお、移動通信システム１が複数の基地局２で構成される場合、遷移制御装置４は各基地局２とネットワークで接続され、各基地局２が構成する一つ以上のＲＡＴにおいて、在圏するＲＡＴを遷移する移動機３の遷移を制御する。また、図３に示す移動通信システム１では一つの移動機３が含まれているが、移動機３は複数存在し、遷移制御装置４がそれぞれの移動機３の遷移を個別に制御してもよいし、一つ以上の移動機３の遷移をまとめて制御してもよい。また、以降の説明では、適宜、複数の移動機３を総称して移動機３と言う場合がある。
【００３０】
図４は、遷移制御装置４の機能ブロック図である。図４に示す通り、遷移制御装置４は、遷移情報格納部１０（格納手段）、移動機検出部１１（検出手段）、バタつき判定部１２（判定手段）、及びバタつき制御部１３（制御手段）を含んで構成される。
【００３１】
遷移制御装置４は、ＣＰＵ等のハードウェアから構成されているものである。図５は、遷移制御装置４のハードウェア構成の一例を示す図である。図４に示される遷移制御装置４は、物理的には、図５に示すように、ＣＰＵ１００、主記憶装置であるＲＡＭ１０１及びＲＯＭ１０２、ディスプレイ等の入出力装置１０３、通信モジュール１０４、及び補助記憶装置１０５などを含むコンピュータシステムとして構成されている。
【００３２】
図４に示す遷移制御装置４の各機能ブロックの機能は、図５に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００３３】
以下、図４に示す遷移制御装置４の各機能ブロックについて説明する。
【００３４】
遷移情報格納部１０は、移動機３の遷移に関する遷移情報を格納する。具体的には、遷移情報格納部１０は、ＲＡＴごとの移動機３の遷移回数を格納する。図６は、遷移情報格納部１０が格納する、ＲＡＴごとの移動機３の遷移回数を示す遷移回数テーブルの一例を示すテーブル図である。図６に示す通り、遷移回数テーブルには、各移動機３ごとに、遷移したＲＡＴの遷移回数が記録されている。例えば、移動機ＩＤが１の移動機３は、これまで、ＲＡＴ＿Ａに５回遷移し、ＲＡＴ＿Ｂに２回遷移し、ＲＡＴ＿Ｃに３回遷移していることを示す。遷移回数テーブルは、移動機３が遷移してから所定の期間（例えば３０秒間）毎に列方向の更新が実施される。
【００３５】
移動機検出部１１は、遷移情報格納部１０によって格納された遷移回数に基づいて、同一ＲＡＴに所定の期間に所定の回数以上遷移した移動機３を検出する。例えば、移動機検出部１１は、遷移情報格納部１０によって図６に示す遷移回数テーブルが格納されている場合、所定の期間である３０秒間で所定の回数である６回を超えた移動機３として、ＲＡＴ＿Ｂへの遷移回数が７回である移動機ＩＤが２の移動機３を検出する。移動機検出部１１は、検出した移動機３を識別する情報や、当該移動機３が所定の遷移回数を超えたＲＡＴを識別する情報を後述のバタつき判定部１２及びバタつき制御部１３に出力する。
【００３６】
バタつき判定部１２は、移動機検出部１１によって検出された移動機３について、遷移を予定している遷移先ＲＡＴに遷移する前に、遷移先ＲＡＴから現在在圏している在圏ＲＡＴへの遷移条件を満たしているか否かを判定する。バタつき判定部１２は、移動機検出部１１によって検出された移動機３が遷移先ＲＡＴから受信した報知情報と当該移動機３の在圏ＲＡＴでの品質情報とに基づいて、遷移条件を満たしているか否かを判定してもよい。なお、バタつき判定部１２によって遷移条件を満たしていると判定された場合を、バタつきの発生（の検出）と定義してもよい。
【００３７】
具体的に、バタつき判定部１２は、移動機検出部１１から入力された移動機３を識別する情報が示す移動機３について、それ以後に行う遷移を監視する。そして、移動機３が遷移先ＲＡＴへの遷移条件を満たした際に、バタつき判定部１２は、移動機３に対して、遷移先ＲＡＴから報知情報を受信させると共に在圏ＲＡＴでの品質情報を取得させる指示を出し、それらの情報を基地局２を介してバタつき判定部１２に送信させる指示を出す。バタつき判定部１２は、受信したそれらの情報に基づいて、移動機３が遷移先ＲＡＴに遷移する前に、移動機３が遷移先ＲＡＴから現在在圏している在圏ＲＡＴへの遷移条件を満たしているか否かを判定する。そしてバタつき判定部１２は、判定結果及び判定対象の移動機３を識別する情報を後述のバタつき制御部１３に出力する。なお、バタつき判定部１２は、移動機検出部１１から入力された、所定の遷移回数を超えたＲＡＴを識別する情報が示すＲＡＴに対して移動機３が遷移しようとする場合にのみ、上記判定を行ってもよい。
【００３８】
バタつき制御部１３は、バタつき判定部１２によって遷移条件を満たしていると判定された場合、移動機３の遷移を制御する。具体的に、バタつき制御部１３は、バタつき判定部１２から入力された判定結果が遷移条件を満たしている旨を示していれば、移動機３の遷移を制御する。
【００３９】
バタつき制御部１３は、バタつき判定部１２によって移動機３が遷移条件を満たしていると判定された場合、当該移動機３のみの遷移を制御してもよい。具体的には、バタつき制御部１３は、バタつき判定部１２から入力された判定結果が遷移条件を満たしている旨を示していれば、同じくバタつき判定部１２から入力された判定対象の移動機３を識別する情報が示す移動機３のみの遷移を制御する。
【００４０】
また、バタつき制御部１３は、基地局２から送信される報知情報に含まれる移動機３の遷移条件を変更することで遷移を制御してもよい。具体的には、バタつき制御部１３は、バタつき判定部１２から入力された判定結果が遷移条件を満たしている旨を示していれば、基地局２から送信される報知情報に含まれる移動機３の遷移条件（遷移閾値）を変更することで遷移を制御する。遷移条件の変更内容としては、遷移閾値を大きくしたり、小さくしたりすることが挙げられる。
【００４１】
また、バタつき制御部１３は、複数のＲＡＴのリソースに基づいて移動機３の遷移を制御してもよい。具体的には、バタつき制御部１３は、バタつき判定部１２から入力された判定結果が遷移条件を満たしている旨を示していれば、まず、基地局２が構成する複数のＲＡＴそれぞれのリソース状態を取得する。そして、バタつき制御部１３は、取得したリソース状態に基づいて移動機３の遷移を制御する。
【００４２】
より具体的には、バタつき制御部１３は、複数のＲＡＴの各ＲＡＴにおける移動機３の在圏数に基づいて移動機３の遷移を制御する。例えば、基地局２がＲＡＴ＿Ａ及びＲＡＴ＿Ｂを構成している場合、バタつき制御部１３は、ＲＡＴ＿Ａ及びＲＡＴ＿Ｂそれぞれから在圏する移動機数（Logical  Chanel数やＢＢ使用率など）を取得する。そして、バタつき制御部１３は、移動機数が少ないＲＡＴに遷移しやすくするような遷移条件に変更する。
【００４３】
以上で挙げたバタつき制御部１３のいくつかの処理のバリエーションについて、一つ以上のバリエーションを組み合わせてもよい。例えば、バタつき制御部１３は、ＲＡＴ＿ＡとＲＡＴ＿Ｂ間でバタついており、ＲＡＴ＿ＢのトラヒックがＲＡＴ＿Ａに比べて逼迫している場合に、バタつきを新たに検出した移動機３に対して、報知情報に含まれる遷移閾値であるThresh_x,highの値をｘ［ｄＢ］加算して報知情報を変更することで、ＲＡＴ＿Ｂに遷移しないようにしてもよい。
【００４４】
［遷移制御装置４で実行される遷移制御方法］
続いて、図７〜９に示すフローチャート及びシーケンスチャートを用いて、本実施形態に係る遷移制御装置４におけるいくつかの遷移制御方法の処理例について説明する。
【００４５】
まず、図７に示すフローチャートを用いて、遷移制御装置４における遷移制御方法の処理例について説明する。なお、前提として、図３に示す移動通信システム１において、移動機３が現在、ＲＡＴ＿Ａに在圏しているものとする。
【００４６】
まず、移動機３により、ＲＡＴ＿Ａの品質情報が測定される（ステップＳ１）。次に、基地局２により、移動機３に対してＲＡＴ＿Ｂの品質情報の取得が指示され（ステップＳ２）、当該指示に基づいて移動機３が取得したＲＡＴ＿Ｂの品質情報が基地局２を介して遷移制御装置４に送信される。次に、遷移制御装置４により、予め移動機３より取得していたＲＡＴ＿Ａの報知情報に含まれる遷移閾値と、受信したＲＡＴ＿Ｂの品質情報とに基づいて、ＲＡＴ＿Ｂの品質情報が遷移閾値を超えているか否かが判定される（ステップＳ３）。
【００４７】
Ｓ３にて遷移閾値を超えていないと判定されると、ＲＡＴ＿Ｂへの遷移は行われず、処理を終了する。Ｓ３にて遷移閾値を超えていると判定されると、続いて、遷移制御装置４により、遷移情報格納部１０によって格納された移動機３の遷移に関する遷移情報に基づいて、移動機３による特定のＲＡＴ遷移回数が所定の閾値を超えているか否かが判定される（ステップＳ４、検出ステップ）。Ｓ４にて所定の閾値を超えていないと判定されると、遷移制御装置４により、後述のＲＡＴ遷移条件がリセットされ（ステップＳ１０）、移動機３に対してＲＡＴ＿Ｂへの遷移指示が送信されることで移動機３がＲＡＴ＿Ｂに遷移し（ステップＳ１１）、遷移先であるＲＡＴ＿ＢのＲＡＴ情報が記録され（ステップＳ１２）、処理を終了する。
【００４８】
Ｓ４にて所定の閾値を超えていると判定されると、続いて、遷移制御装置４により、以前測定したＲＡＴ＿Ｂの品質情報がリロード（再読み込み）される（ステップＳ５）。次に、遷移制御装置４により、Ｓ１にて測定したＲＡＴ＿Ａの品質情報や、Ｓ５にてリロードされたＲＡＴ＿Ｂの品質情報や、予め移動機３より取得したＲＡＴ＿Ｂの報知情報などに基づいて、移動機３についてＲＡＴ＿ＢからＲＡＴ＿Ａへの遷移条件を満たしているか（無線品質が遷移閾値を超えているか）否かが判定される（ステップＳ６、判定ステップ）。
【００４９】
Ｓ６にて遷移条件を満たしていないと判定されると、前述のＳ１１に進む。Ｓ６にて遷移条件を満たしていると判定されると、遷移制御装置４により、ＲＡＴ＿Ａ及びＲＡＴ＿Ｂの基地局リソース状態が取得される（ステップＳ７、制御ステップ）。次に、遷移制御装置４により、Ｓ７にて取得された基地局リソース状態に基づいて、ＲＡＴの遷移条件が変更される（ステップＳ８、制御ステップ）。次に、遷移制御装置４により、変更されたＲＡＴの遷移条件に基づいて、遷移判断が実施される（ステップＳ９、制御ステップ）。Ｓ９にて遷移すると判断されると、前述のＳ１１に進む。Ｓ９にて遷移しないと判断されると、遷移は行われず、処理を終了する。
【００５０】
続いて、図８及び９に示すシーケンスチャートを用いて、遷移制御装置４における遷移制御方法の別の処理例について説明する。なお、前提として、図３に示す移動通信システム１において、移動機３が現在、ＲＡＴ＿Ａに在圏しているものとする。
【００５１】
最初に、図８のシーケンスチャートについて説明する。まず、移動機３により、ＲＡＴ＿Ａから送信された報知情報が受信される（ステップＳ２０）。次に、移動機３により、ＲＡＴ＿Ｂから信号が受信され、ＲＡＴ＿Ｂにおける無線品質が測定される（ステップＳ２１）。次に、移動機３により、Ｓ２１にて測定された無線品質が基地局２（ＲＡＴ＿Ａ）に送信される（ステップＳ２２）。次に、基地局２及び遷移制御装置４により、遷移条件を満たしていると判断され、移動機３に対して遷移指示が送信され、移動機３はＲＡＴ＿Ｂに遷移する（ステップＳ２３）。
【００５２】
次に、移動機３により、現在在圏しているＲＡＴ＿Ｂから報知情報が受信される（ステップＳ２４）。次に、移動機３により、ＲＡＴ＿Ａから信号が受信され、ＲＡＴ＿Ａにおける無線品質が測定される（ステップＳ２５）。次に、移動機３により、Ｓ２５にて測定された無線品質が基地局２（ＲＡＴ＿Ｂ）に送信される（ステップＳ２６）。次に、基地局２及び遷移制御装置４により、遷移条件を満たしていると判断され、移動機３に対して遷移指示が送信され、移動機３はＲＡＴ＿Ａに（再び）遷移する（ステップＳ２７）。
【００５３】
図８のシーケンスチャートに示す処理が一定期間、複数回実施された後の処理を図９に示す。図９に示すシーケンスチャートにおいて、まず、移動機３により、ＲＡＴ＿Ａから送信された報知情報が受信される（ステップＳ３０）。次に、移動機３により、ＲＡＴ＿Ｂから信号が受信され、ＲＡＴ＿Ｂにおける無線品質が測定される（ステップＳ３１）。次に、移動機３により、Ｓ３１にて測定された品質情報が基地局２（ＲＡＴ＿Ａ）に送信される（ステップＳ３２）。
【００５４】
次に、基地局２及び遷移制御装置４により、バタつきが発生していることが判定され（検出ステップ、判定ステップ）、ＲＡＴ＿Ｂの報知情報に含まれる遷移閾値が変更される。そして、基地局２及び遷移制御装置４により、移動機３に対してＲＡＴ＿Ｂの（変更後の）報知情報の取得指示が送信される（ステップＳ３３、制御ステップ）。次に、Ｓ３３にて受信した指示に基づき、移動機３により、ＲＡＴ＿Ｂから報知情報が受信される（ステップＳ３４）。次に、移動機３により、ＲＡＴ＿Ａから信号が受信され、ＲＡＴ＿Ａにおける無線品質が測定される（ステップＳ３５）。次に、移動機３により、Ｓ３５にて測定された無線品質が基地局２（ＲＡＴ＿Ａ）に送信される（ステップＳ３６）。次に、基地局２及び遷移制御装置４により、移動機３が遷移条件を満たしているか否かが判定され、条件を満たしていれば、移動機３に対して遷移指示が送信される（ステップＳ３７、制御ステップ）。
【００５５】
［遷移制御装置４の作用効果］
次に、本実施形態のように構成された遷移制御装置４の作用効果について説明する。
【００５６】
本実施形態の遷移制御装置４によれば、同一ＲＡＴに所定の期間に所定の回数以上遷移した移動機３について、遷移先ＲＡＴに遷移する前に、遷移先ＲＡＴから在圏ＲＡＴへの遷移条件を満たしている場合、移動機３の遷移を制御することができる。遷移を制御しなければ、移動機３が当該遷移条件を満たしている場合、当該移動機３は遷移先ＲＡＴに遷移した後に再度在圏ＲＡＴに遷移するため、バタつきが発生する。遷移を制御することで、例えば遷移先ＲＡＴへ遷移させなくすることができ、それによりバタつきを抑制することができる。また、移動機検出部１１及びバタつき判定部１２を備えることで、適切なタイミングでバタつきを検出し、バタつき抑止起動が可能となる。
【００５７】
また、本実施形態の遷移制御装置４によれば、バタつき制御部１３は、バタつき判定部１２によって移動機３が遷移条件を満たしていると判定された場合、当該移動機３のみの遷移を制御する。これにより、他の移動機３に影響を与えることなく、最小限の制御でバタつきを抑制することができる。
【００５８】
また、本実施形態の遷移制御装置４によれば、バタつき制御部１３は、基地局２から送信される報知情報に含まれる移動機３の遷移条件を変更することで遷移を制御する。これにより、基地局２から送信される報知情報という既存の仕組みを利用して簡易にバタつきを抑制することができる。
【００５９】
また、本実施形態の遷移制御装置４によれば、バタつき制御部１３は、複数のＲＡＴのリソースに基づいて移動機３の遷移を制御する。これにより、例えば、リソースに余裕があるＲＡＴに移動機を遷移させることで、バタつきを抑制すると共に、ＲＡＴ全体の効率性を高めることができる。
【００６０】
また、本実施形態の遷移制御装置４によれば、バタつき制御部１３は、複数のＲＡＴの各ＲＡＴにおける移動機３の在圏数に基づいて移動機３の遷移を制御する。これにより、例えば、移動機３の在圏数が少ないＲＡＴ、すなわちリソースに余裕があるＲＡＴに移動機３を遷移させることで、バタつきを抑制すると共に、ＲＡＴ全体の効率性を高めることができる。
【００６１】
また、本実施形態の遷移制御装置４によれば、バタつき判定部１２は、移動機３が遷移先ＲＡＴから受信した報知情報と当該移動機３の在圏ＲＡＴでの品質情報とに基づいて、遷移条件を満たしているか否かを判定する。これにより、既存の仕組みを利用して簡易に遷移条件を満たしているか否かを判定することができる。
【符号の説明】
【００６２】
１・１’…移動通信システム、２・２’…基地局、３・３’…移動機、４…遷移制御装置、１０…遷移情報格納部、１１…移動機検出部、１２…バタつき判定部、１３…バタつき制御部。
【図１】
2015061186.tif 000003
【図２】
2015061186.tif 000004
【図３】
2015061186.tif 000005
【図４】
2015061186.tif 000006
【図５】
2015061186.tif 000007
【図６】
2015061186.tif 000008
【図７】
2015061186.tif 000009
【図８】
2015061186.tif 000010
【図９】
2015061186.tif 000011